(57)【要約】【課題】タッチパネルを使用した場合にでもヒータ、電子レンジに対する安全回路を実現させる。【解決手段】加熱手段１と、主制御回路２と、マイクロコンピュータＡ３と、入力手段６と、マイクロコンピュータＢ４と、ＷＡＴＣＨ  ＤＯＧ  ＩＣ５とを備え、マイクロコンピュータＢ４より通信ライン１６を使用しマイクロコンピュータＡ３とＷＡＴＣＨ  ＤＯＧ  ＩＣ５に、調理スタート開始のデータが送信されると、ＷＡＴＣＨ  ＤＯＧ  ＩＣ５より出力されるアクティブ信号と、マイクロコンピュータＡ３より出力されるアクティブ信号との論理積により、主制御回路２をＯＮさせる。これによって、操作部と表示部にタッチパネルを使用した場合にでも、１部品だけのＷＡＴＣＨ  ＤＯＧ  ＩＣの故障またはマイクロコンピュータＡの故障により、アクティブ信号が出力されたとしても、ラッチ回路がＯＮしないので加熱手段や電子レンジはＯＮせずに、危険な状態にならない。【選択図】図１
2013195026.tif 000002
【特許請求の範囲】
【請求項１】
被加熱物を収容する加熱室と、前記加熱室に設けられた開閉ドアと、前記加熱室内の被加熱物を加熱する加熱手段と、前記加熱手段を制御する主制御回路と、前記主制御回路にアクティブ信号を供給するためのマイクロコンピュータＡと、調理設定等を行うための入力手段と、前記入力手段のデータを取り込むためのマイクロコンピュータＢと、前記マイクロコンピュータＡと前記マイクロコンピュータＢを接続し通信するための通信ラインと、前記通信ラインに接続されたＷＡＴＣＨ  ＤＯＧ  ＩＣとを備え、
前記マイクロコンピュータＢより前記通信ラインを使用し前記マイクロコンピュータＡと前記ＷＡＴＣＨ  ＤＯＧ  ＩＣに調理スタート開始のデータが送信されると、前記ＷＡＴＣＨ  ＤＯＧ  ＩＣより出力されるアクティブ信号と前記マイクロコンピュータＡより出力されるアクティブ信号の論理積により前記主制御回路から信号を出力し加熱手段をＯＮさせる加熱調理器。
【請求項２】
被加熱物を収容する第１の加熱室と、前記第１の加熱室に設けられた第１の開閉ドアと、前記第１の加熱室内の被加熱物を加熱する第１加熱手段と、前記第１加熱手段を制御する第１主制御回路と、前記第１主制御回路にアクティブ信号を供給するためのマイクロコンピュータＣと、前記第１主制御回路にアクティブ信号を供給するための第１ＷＡＴＣＨ  ＤＯＧ  ＩＣを接続し通信するための通信ラインと、被加熱物を収容する第２の加熱室と、前記第２の加熱室に設けられた第２の開閉ドアと、前記第２の加熱室内の被加熱物を加熱する第２加熱手段と、前記第２加熱手段を制御する第２主制御回路と、前記通信ラインに前記第２主制御回路へアクティブ信号を供給するためのマイクロコンピュータＤと、前記第２主制御回路にアクティブ信号を供給するための第２ＷＡＴＣＨ  ＤＯＧ  ＩＣを接続し、前記通信ラインに接続された前記マイクロコンピュータＣまたは前記マイクロコンピュータＤまたは前記第１ＷＡＴＣＨ  ＤＯＧ  ＩＣまたは前記第２ＷＡＴＣＨ  ＤＯＧ
ＩＣを操作するための機器とを備え、
前記各通信がマルチマスター方式であり、前記機器から送信される調理スタート開始のデータは、どの前記ＷＡＴＣＨ  ＤＯＧ  ＩＣまたはマイクロコンピュータに送信されたデータなのかを認識するための目標ノードナンバーを有し、前記目標ノードナンバーが前記第１ＷＡＴＣＨ  ＤＯＧ  ＩＣまたは前記第２ＷＡＴＣＨ  ＤＯＧ  ＩＣまたは前記マイクロコンピュータＣまたは前記マイクロコンピュータＤの目標ノードナンバーに一致しない場合、前記第１、第２ＷＡＴＣＨ  ＤＯＧ  ＩＣ、マイクロコンピュータＣ、Ｄがアクティブ信号を出力しない加熱調理器。
【発明の詳細な説明】
【技術分野】
【０００１】
本発明は、マイクロコンピュータを用いた加熱調理器に関するものである。
【背景技術】
【０００２】
従来、一般に、オーブン付き高周波加熱調理器としては、ヒータ、電子レンジという様に、複数の加熱熱源を制御している。
【０００３】
この場合、電子レンジでは、図４に示すように、入力手段２１の一部であるＳＴＡＲＴキーと主制御回路１８を接続し、ＳＴＡＲＴキーが押されている間だけ、アクティブ信号を主制御回路１８に送るように構成している。
【０００４】
また、マイクロコンピュータＡ１９と主制御回路１８を接続し、加熱手段１７としてのヒータや電子レンジをＯＮしたい時には、マイクロコンピュータＡ１９よりアクティブ信号を送信する。
【０００５】
マイクロコンピュータＡ１９よりアクティブ信号を送信している時に、ＳＴＡＲＴキーが押されアクティブ信号が送信されると、主制御回路１８の一部を構成しているラッチ回路がＯＮし、ＳＴＡＲＴキーの接点が離されて、信号がノンアクティブになっても、マイクロコンピュータＡ１９のアクティブ信号がＯＮしている限りは、このラッチ回路はＯＮし続ける。
【０００６】
さらに、加熱手段１７をＯＮしたい時には、このラッチ回路がＯＮしている状態で、マイクロコンピュータＡ１９より、加熱手段１７のリレーをＯＮすれば、加熱手段１７がＯＮする構成となっている。
【０００７】
この構成では、加熱手段１７を上記の様な制御をすると、入力手段２１の故障により、キーボードショート状態やノイズにより、ＳＴＡＲＴキーが押されたという入力がされたとしても、ラッチ回路がＯＮしていないので、加熱手段１７や電子レンジはＯＮせずに危険な状態にならない（例えば、特許文献１、２参照）。
【先行技術文献】
【特許文献】
【０００８】
【特許文献１】特開昭６３−１８９７１５号公報
【特許文献２】特開昭６０−２６４０８８号公報
【発明の概要】
【発明が解決しようとする課題】
【０００９】
しかしながら、前記従来の構成では、入力手段２１がタッチパネルの場合は、物理的にＳＴＡＲＴキーが存在しないので信号線を接続することができず、ＳＴＡＲＴキーから信号を発信できないという課題を有していた。
【００１０】
本発明は、前記従来の課題を解決するもので、ＳＴＡＲＴキーから信号を発信する代わりに、ＷＡＴＣＨ  ＤＯＧ  ＩＣを用意し、調理をスタートできる状態になった時に、タッチパネルに表示されたＳＴＡＲＴキーを押されたという情報を通信で送信し、ＷＡＴＣＨ  ＤＯＧ  ＩＣがその情報を受け取った場合に、アクティブ信号を送信する構成とした加熱調理器を提供することを目的とする。
【課題を解決するための手段】
【００１１】
前記従来の課題を解決するために、本発明の加熱調理器は、被加熱物を収容する加熱室と、前記加熱室に設けられた開閉ドアと、前記加熱室内の被加熱物を加熱する加熱手段と、前記加熱手段を制御する主制御回路と、前記主制御回路にアクティブ信号を供給するためのマイクロコンピュータＡと、調理設定等を行うための入力手段と、前記入力手段のデータを取り込むためのマイクロコンピュータＢと、前記マイクロコンピュータＡと前記マイクロコンピュータＢとを接続し通信するための通信ラインと、前記通信ラインに接続されたＷＡＴＣＨ  ＤＯＧ  ＩＣとを備え、前記マイクロコンピュータＢより前記通信ラインを使用し前記マイクロコンピュータＡと前記ＷＡＴＣＨ  ＤＯＧ  ＩＣに調理スタート開始のデータが送信されると、前記ＷＡＴＣＨ  ＤＯＧ  ＩＣより出力されるアクティブ信号と前記マイクロコンピュータＡより出力されるアクティブ信号との論理積により、前記主制御回路がＯＮ信号を出力するものである。
【００１２】
これによって、操作部と表示部にタッチパネルを使用した場合にでも、１部品だけのＷＡＴＣＨ  ＤＯＧ  ＩＣの故障またはマイクロコンピュータＡの故障により、アクティブ信号が出力されたとしても、ラッチ回路がＯＮしないので、加熱手段や電子レンジはＯＮせずに、危険な状態にならない。
【００１３】
また、本発明の加熱調理器は、被加熱物を収容する第１の加熱室と、前記第１の加熱室に設けられた第１の開閉ドアと、前記第１の加熱室内の被加熱物を加熱する第１の加熱手段と、前記第１の加熱手段を制御する第１の主制御回路と、前記第１の主制御回路にアクティブ信号を供給するためのマイクロコンピュータＣと、前記第１の主制御回路にアクティブ信号を供給するための第１のＷＡＴＣＨ  ＤＯＧ  ＩＣを接続し通信するための通信ラインと、被加熱物を収容する第２の加熱室と、前記第２の加熱室に設けられた第２の開閉ドアと、を設けている。
【００１４】
そして、前記第２の加熱室内の被加熱物を加熱する第２の加熱手段と、前記第２の加熱手段を制御する第２の主制御回路と、前記通信ラインに前記第２の主制御回路にアクティブ信号を供給するためのマイクロコンピュータＤと、前記第２の主制御回路にアクティブ信号を供給するための第２のＷＡＴＣＨ  ＤＯＧ  ＩＣを接続し、前記通信ラインに接続された前記マイクロコンピュータＣまたは前記マイクロコンピュータＤまたは前記第１のＷＡＴＣＨ  ＤＯＧ  ＩＣまたは前記第２のＷＡＴＣＨ  ＤＯＧ  ＩＣを操作するための機器とを備えている。
【００１５】
さらに、それぞれがマルチマスター方式での通信を行う構成とし、前記機器から送信される調理スタート開始のデータは、どのＩＣまたはマイクロコンピュータに送信されたデータなのかを認識するための目標ノードナンバーを持ち、前記目標ノードナンバーが前記第１のＷＡＴＣＨ  ＤＯＧ  ＩＣまたは前記第２のＷＡＴＣＨ  ＤＯＧ  ＩＣまたは前記マイクロコンピュータＣまたは前記マイクロコンピュータＤの目標ノードナンバーに一致しない場合、それぞれがアクティブ信号を出力しないことを特徴としたものである。
【００１６】
これによって、同一通信ラインに他の機器を接続し、別の機器へ調理スタート開始のデータを送信したとしても、ＷＡＴＣＨ  ＤＯＧ  ＩＣとマイクロコンピュータは自身に送られていないことを判別するので、ＷＡＴＣＨ  ＤＯＧ  ＩＣとマイクロコンピュータはアクティブ信号を出力せず、ラッチ回路がＯＮしないのでヒータや電子レンジはＯＮせずに危険な状態にならない。
【発明の効果】
【００１７】
本発明の加熱調理器は、入力手段としてタッチパネルを使用した場合にでも１部品だけのＷＡＴＣＨ  ＤＯＧ  ＩＣかマイクロコンピュータＡの故障により、アクティブ信号が
出力されたとしても、主制御回路がＯＮ信号を出力しないので、ヒータや電子レンジはＯＮせずに危険な状態にならない安全回路が実現できる。
【００１８】
また、マイクロコンピュータＡのアクティブ信号に依存せずに、独立して調理をスタートしたという情報をＷＡＴＣＨ  ＤＯＧ  ＩＣが判断してからアクティブ信号を出力するため、調理スタートできない状態でユーザーがスタートキーを押したときにもアクティブ信号を出力しないのでより安全な回路が実現できる。
【００１９】
また、同一通信ラインにＰＣと第１の加熱調理機器と第２の加熱調理機器といった複数の機器を接続し、ＰＣから第１の機器の目標ノードナンバーを含んだ調理スタートデータを送信すると、第２の加熱調理機器に組み込まれているマイクロコンピュータおよびＷＡＴＣＨ  ＤＯＧ  ＩＣは自身のデータではないと判断し、加熱手段を制御する主制御回路にアクティブ信号を送信しないので、意図しない機器のヒータや電子レンジはＯＮせずに危険な状態にならない。
【図面の簡単な説明】
【００２０】
【図１】本発明の実施の形態１における加熱調理器の構成図
【図２】本発明の同実施の形態における加熱調理器のフローチャート
【図３】本発明の実施の形態２における加熱調理器の構成図
【図４】従来における加熱調理器の構成図
【発明を実施するための形態】
【００２１】
第１の発明は前記従来の課題を解決するために、本発明の加熱調理器は、被加熱物を収容する加熱室と、前記加熱室に設けられた開閉ドアと、前記加熱室内の被加熱物を加熱する加熱手段と、前記加熱手段を制御する主制御回路と、前記主制御回路にアクティブ信号を供給するためのマイクロコンピュータＡと、調理設定等を行うための入力手段と、前記入力手段のデータを取り込むためのマイクロコンピュータＢと、前記マイクロコンピュータＡと前記マイクロコンピュータＢを接続し通信するための通信ラインと、前記通信ラインに接続されたＷＡＴＣＨ  ＤＯＧ  ＩＣとを備え、前記マイクロコンピュータＢより前記通信ラインを使用し前記マイクロコンピュータＡと前記ＷＡＴＣＨ  ＤＯＧ  ＩＣに調理スタート開始のデータが送信されると、前記ＷＡＴＣＨ  ＤＯＧ  ＩＣより出力されるアクティブ信号と前記マイクロコンピュータＡより出力されるアクティブ信号の論理積により、前記主制御回路がＯＮ信号を出力するものである。
【００２２】
これによって、入力手段としてタッチパネルを使用した場合にでも、１部品だけのＷＡＴＣＨ  ＤＯＧ  ＩＣかマイクロコンピュータＡの故障により、アクティブ信号が出力されたとしても、ラッチ回路がＯＮしないので、ヒータや電子レンジはＯＮせずに危険な状態にならない。
【００２３】
第２の発明は前記従来の課題を解決するために、本発明の加熱調理器は、被加熱物を収容する第１の加熱室と、前記加熱室に設けられた第１の開閉ドアと、前記第１の加熱室内の被加熱物を加熱する第１の加熱手段と、前記第１の加熱手段を制御する第１の主制御回路と、前記第１の主制御回路にアクティブ信号を供給するためのマイクロコンピュータＣと、前記第１の主制御回路にアクティブ信号を供給するための第１のＷＡＴＣＨ  ＤＯＧ
ＩＣを接続し通信するための通信ラインと、被加熱物を収容する第２の加熱室と、前記加熱室に設けられた第２の開閉ドアと、前記第２の加熱室内の被加熱物を加熱する第２の加熱手段と、前記第２の加熱手段を制御する第２の主制御回路と、前記通信ラインに前記第２の主制御回路にアクティブ信号を供給するためのマイクロコンピュータＤと、前記第２の主制御回路にアクティブ信号を供給するための第２のＷＡＴＣＨ  ＤＯＧ  ＩＣを接続し、前記通信ラインに接続された前記マイクロコンピュータＣまたは前記マイクロコン
ピュータＤまたは前記第１のＷＡＴＣＨ  ＤＯＧ  ＩＣまたは前記第２のＷＡＴＣＨ  ＤＯＧ  ＩＣを操作するための機器とを備え、それぞれがマルチマスター方式での通信を行う構成とし、前記機器から送信される調理スタート開始のデータはどのＩＣまたはマイクロコンピュータに送信されたデータなのかを認識するための目標ノードナンバーを持ち、前記目標ノードナンバーが前記第１のＷＡＴＣＨ  ＤＯＧ  ＩＣまたは前記第２のＷＡＴＣＨ  ＤＯＧ  ＩＣまたは前記マイクロコンピュータＣまたは前記マイクロコンピュータＤの目標ノードナンバーに一致しない場合、それぞれがアクティブ信号を出力しないとしたものである。
【００２４】
これによって、同一通信ラインに他の機器を接続し、別の機器へ調理スタート開始のデータを送信したとしても、ＷＡＴＣＨ  ＤＯＧ  ＩＣとマイクロコンピュータは自身に送られていないことを判別するので、ＷＡＴＣＨ  ＤＯＧ  ＩＣとマイクロコンピュータはアクティブ信号を出力せず、ラッチ回路がＯＮしないのでヒータや電子レンジはＯＮせずに危険な状態にならない。
【００２５】
以下、本発明の実施の形態について、図面を参照しながら説明する。なお、この実施の形態によって本発明が限定されるものではない。
【００２６】
（実施の形態１）
図１は、本発明の第１の実施の形態における加熱調理器のブロック図を示すものである。
【００２７】
図１において、マイクロコンピュータＡ３（以下、マイコンＡ３と称す）は、主制御回路２を用いて加熱手段１を制御し、マイクロコンピュータＢ４（以下、マイコンＢ４と称す）は、タッチパネルを用いた入力手段６により情報が入力される。この情報により、調理内容の設定等を行い、マイコンＢ４より通信ラインを使用し、マイコンＡ３に調理スタート情報や調理の種類の情報を送信する構成になっている。
【００２８】
また、マイコンＢ４より通信ラインを使用し、ＷＡＴＣＨ  ＤＯＧ  ＩＣ５に調理スタート情報を送信する構成になっている。
【００２９】
以上のように構成された加熱調理器について、以下にその動作、作用を説明する。
【００３０】
まず、入力手段６からユーザーが調理設定を行い、入力手段６であるタッチパネルに表示されたスタートキーを押下する。これにより、マイコンＢ４は、特定フォーマットに従った情報を通信ラインを使用し、マイコンＡ３とＷＡＴＣＨ  ＤＯＧ  ＩＣ５とに送信する。
【００３１】
この時、調理をスタートするという情報をマイコンＢ４より受け取とると、マイコンＡ３は、スタートＯＫ信号として方形波のアクティブ信号を出力する。また、ＷＡＴＣＨ  ＤＯＧ  ＩＣ５から、スタートＯＫ信号として、ＨＩＧＨの信号を出力する。
【００３２】
これにより、主制御回路２の一部で構成されているラッチ回路はＯＮする。ＷＡＴＣＨ
ＤＯＧ  ＩＣ５は、５００ｍｓ後にＨＩＧＨ信号からＬＯＷ信号になるが、マイコンＡ３のスタートＯＫ信号がＯＦＦしない限り、このラッチ回路はＯＮし続ける。
【００３３】
次に、マイコンＢ４より調理の種類の情報（例えば、コンベクション調理）を受け取り、マイコンＡ３は、その情報を元に各リレーをＯＮする。この時、加熱手段１をＯＮするシーケンスであれば、マイコンＡ３は、ヒータリレーをＯＮする信号を出力し、主制御回路２のラッチ回路がＯＮしているので、加熱手段１はＯＮする。
【００３４】
次に、調理が終了した場合、マイコンＢ４より調理の種類が、「Ｎｏ  ｃｏｏｋｉｎｇ」という情報を送信する。マイコンＡ３は、その情報を元に各リレーをＯＦＦする。この時、ヒータリレーもＯＦＦする。
【００３５】
そして、マイコンＡ３は、スタートＯＫ信号としての方形波であるアクティブ信号をＯＦＦさせる。これにより、主制御回路２のラッチ回路は、ＯＦＦする。
【００３６】
以上のように、本実施の形態において、操作部と表示部として、タッチパネルである入力手段６を使用した場合にでも、１部品だけのＷＡＴＣＨ  ＤＯＧ  ＩＣ５の故障、またはマイコンＡ３の故障により、アクティブ信号が出力されたとしても、ラッチ回路がＯＮしないので、加熱手段１や電子レンジはＯＮせずに、危険な状態にならない。
【００３７】
次に、本実施の形態における加熱調理器の動作を説明する。
【００３８】
図２は、本発明の第１の実施の形態における加熱調理器のフローチャートである。
【００３９】
まず、マイコンＢ４は、ステップＳ１にて、調理スタート情報を通信ラインを使用し、マイコンＡ３とＷＡＴＣＨ  ＤＯＧ  ＩＣ５に送信する。
【００４０】
次に、ステップＳ２では、マイコンＡ３がその情報を受け取り、ステップＳ３で、マイコンＡ３はその情報が調理スタート情報かどうか判断し、もし調理スタート情報であるなら、ステップＳ４にて、マイコンＡ３より主制御回路２に、４ｋＨｚの方形波であるアクティブ信号を送信する。この方形波であるアクティブ信号と、ＷＡＴＣＨ  ＤＯＧ  ＩＣ５からのＨＩＧＨのアクティブ信号とが入力されて、初めて主制御回路２のラッチ回路がＯＮする構成となっており、マイコンＡ３よりＨＩＧＨまたはＬＯＷ信号が出力されただけでは、ラッチ回路はＯＮしない。
【００４１】
これは、マイコンＡ３が暴走した場合に、信号がＨＩＧＨまたはＬＯＷ信号を出力するため、ラッチ回路をＯＮしないようにしているからである。
【００４２】
ステップＳ５では、ステップＳ１でマイコンＢ４が送信した調理スタート情報をＷＡＴＣＨ  ＤＯＧ  ＩＣ５が受け取り、ステップＳ６で、ＷＡＴＣＨ  ＤＯＧ  ＩＣ５は、その情報が調理スタート情報かどうか判断し、もし調理スタート情報であるなら、ステップＳ７で、ＷＡＴＣＨ  ＤＯＧ  ＩＣ５より主制御回路２にＨＩＧＨのアクティブ信号を送信する。
【００４３】
ステップＳ４のアクティブ信号が出力されていれば、主制御回路２のラッチ回路がＯＮする。さらに、５００ｍｓ後に、ＷＡＴＣＨ  ＤＯＧ  ＩＣ５は、ＬＯＷの信号に切り替える。この場合でも、ステップＳ４のアクティブ信号が出力されていれば、主制御回路２のラッチ回路はＯＮし続ける。もし、調理スタート情報でなければ、ステップＳ８に移行する。
【００４４】
ステップＳ８にて、マイコンＢ４より、調理の種類の情報を送信する。ステップＳ９にて、その情報をマイコンＡ３が受け取り、その情報をもとに各リレーのＯＮ／ＯＦＦを行う。ステップＳ１０で、受け取った調理の種類のシーケンスが、ヒータリレーをＯＮさせるシーケンスかどうか判断し、もしＯＮさせるシーケンスなら、ステップＳ１１で、ヒータリレーにアクティブ信号を送信する。この時、主制御回路２のラッチ回路がＯＮしていれば、ヒータがＯＮする。
【００４５】
（実施の形態２）
図３は、本発明の第２の実施の形態における加熱調理器のブロック図を示すものである。
【００４６】
図３において、機器（ＰＣ）１５と第１電子レンジ（図示せず）と第２電子レンジ（図示せず）が、１本の通信ライン１６で、接続されている。第１電子レンジは、第１加熱手段７、第１主制御回路８、マイクロコンピュータＣ９（以下、マイコンＣ９と称す）、第１ＷＡＴＣＨ  ＤＯＧ  ＩＣ１０を備えている。そして、第２電子レンジは、第２加熱手段１１、第２主制御回路１２、マイクロコンピュータＤ１３（以下、マイコンＤ１３と称す）、第２ＷＡＴＣＨ  ＤＯＧ  ＩＣ１４を備えている。
【００４７】
マイコンＣ９は、第１主制御回路８を用いて第１加熱手段７を制御し、機器（ＰＣ）１５より通信ライン１６を使用し、マイコンＣ９に調理スタート情報や調理の種類の情報を送信する構成になっている。
【００４８】
また、機器（ＰＣ）１５より通信ライン１６を使用し、第１ＷＡＴＣＨ  ＤＯＧ  ＩＣ１０に調理スタート情報を送信する構成になっている。
【００４９】
また、マイコンＤ１３は、第２主制御回路１２を用いて第２加熱手段１１を制御し、機器（ＰＣ）１５より通信ライン１６を使用し、マイコンＤに調理スタート情報や調理の種類の情報を送信する構成になっている。
【００５０】
また、機器（ＰＣ）１５より通信ライン１６を使用し、第２ＷＡＴＣＨ  ＤＯＧ  ＩＣ１４に調理スタート情報を送信する構成になっている。
【００５１】
以上のように構成された加熱調理器について、以下にその動作、作用を説明する。
【００５２】
まず、機器（ＰＣ）１５から第１加熱手段７を制御したい場合、特定フォーマットに従った情報を、ターゲット（目標ノードナンバー）にマイコンＣ９である情報を含めた形で送信する。
【００５３】
この時、調理をスタートするという情報を機器（ＰＣ）１５より受け取ったとすると、マイコンＣ９は、スタートＯＫ信号として、方形波であるアクティブ信号を出力する。しかし、マイコンＤ１３、第１ＷＡＴＣＨ  ＤＯＧ  ＩＣ１０、第２ＷＡＴＣＨ  ＤＯＧ  ＩＣ１４は、自身のデータではないと判断し無視する。
【００５４】
次に、機器（ＰＣ）１５からターゲットに、第１ＷＡＴＣＨ  ＤＯＧ  ＩＣ１０である情報を含めた情報を送信する。この時、調理をスタートするという情報を、機器（ＰＣ）１５より受け取ると、第１ＷＡＴＣＨ  ＤＯＧ  ＩＣ１０からスタートＯＫ信号としてＨＩＧＨの信号を出力する。これにより、第１主制御回路８の一部で構成されているラッチ回路はＯＮする。しかし、マイコンＣ９、マイコンＤ１３、第２ＷＡＴＣＨ  ＤＯＧ  ＩＣ１４は、自身のデータではないと判断し無視する。従って、第２主制御回路１２の一部で構成されているラッチ回路はＯＮしない。
【００５５】
また、５００ｍｓ後に、第１ＷＡＴＣＨ  ＤＯＧ  ＩＣ１０はＬＯＷ信号を出力するが、マイコンＣ９からのスタートＯＫ信号として方形波であるアクティブ信号が出力している限り、第１主制御回路８の一部で構成されているラッチ回路はＯＮし続ける。
【００５６】
次に、機器（ＰＣ）１５より調理の種類の情報（例えばコンベクション調理）を受け取り、マイコンＣ９は、その情報を元に各リレーをＯＮする。この時、第１加熱手段７をＯ
Ｎするシーケンスであれば、マイコンＣ９は、ヒータリレーをＯＮする信号を出力し、第１主制御回路８のラッチ回路がＯＮしているので、ヒータはＯＮする。
【００５７】
次に、機器（ＰＣ）１５より、調理の種類が「Ｎｏ  ｃｏｏｋｉｎｇ」という情報をマイコンＣ９に送信する。マイコンＣ９は、その情報を元に各リレーをＯＦＦする。この時、ヒータリレーもＯＦＦする。そして、マイコンＣ９は、スタートＯＫ信号としての方形波をＯＦＦさせる。これにより、第１主制御回路８のラッチ回路はＯＦＦする。
【００５８】
以上のように、本実施の形態において、機器（ＰＣ）１５よりターゲット（目標ノードナンバー）を含めた情報を送信することにより、２台以上の加熱調理機器が同一通信ラインで接続されていたとしても、調理開始したくない加熱調理機器のラッチ回路がＯＮしないので、第１、第２加熱手段や電子レンジはＯＮせずに危険な状態にならない。
【産業上の利用可能性】
【００５９】
以上のように、本発明の加熱調理器は、入力手段としてタッチパネルを使用した場合でも、１部品だけのＷＡＴＣＨ  ＤＯＧ  ＩＣかマイクロコンピュータＡの故障により、アクティブ信号が出力されたとしても、ラッチ回路がＯＮしないので、ヒータや電子レンジはＯＮせずに危険な状態にならないため、容易に加熱調理器のみならず他の家電機器への展開も図れる。
【符号の説明】
【００６０】
１、１７  加熱手段
２、１８  主制御回路
３、１９  マイクロコンピュータＡ
４  マイクロコンピュータＢ
５  ＷＡＴＣＨ  ＤＯＧ  ＩＣ
６、２１  入力手段
７  第１加熱手段
８  第１主制御回路
９  マイクロコンピュータＣ
１０  第１ＷＡＴＣＨ  ＤＯＧ  ＩＣ
１１  第２加熱手段
１２  第２主制御回路
１３  マイクロコンピュータＤ
１４  第２ＷＡＴＣＨ  ＤＯＧ  ＩＣ
１５  機器（ＰＣ）
１６  通信ライン
【図１】
2013195026.tif 000003
【図２】
2013195026.tif 000004
【図３】
2013195026.tif 000005
【図４】
2013195026.tif 000006